【手続補正書】
【提出日】平成21年3月31日(2009.3.31)
【手続補正１】
【補正対象書類名】特許請求の範囲
【補正対象項目名】全文
【補正方法】変更
【補正の内容】
【特許請求の範囲】
【請求項１】
以下の式（Ｉ）：
【化１】
2009057566.tif 000001
の構造を有するモノマー単位を含む共役ポリマーであって、
ここで：
Ａｒ１およびＡｒ２は、独立して、単環式、二環式、および多環式のアリーレン、ヘテロアリーレン、置換されたアリーレンおよび置換されたヘテロアリーレンからなる群より選択され；
Ｌは、アルキレン、アルケニレン、置換アルキレン、置換アルケニレン、ヘテロアルキレン、ヘテロアルケニレン、置換ヘテロアルキレン、置換ヘテロアルケニレン、アリーレン、ヘテロアリーレン、置換アリーレン、置換ヘテロアリーレン、またはこれらの組み合わせであり；
Ｑは、ヘテロ原子であり；
ｍは、０であり；
ｐは、０または１であり、そしてｑは、０または１であり、ただし、ｐが０の場合、ｑは０であり；
ｘは、０または１であり；
Ｑ１およびＱ２は、独立して、Ｈ、アリール、ヘテロアリール、置換アリール、置換ヘテロアリール、アルキル、置換アルキル、ヘテロアルキル、および置換ヘテロアルキルからなる群より選択され；そしてＱ３は、アルキル、置換アルキル、ヘテロアルキル、および置換ヘテロアルキルからなる群より選択され、ただし、ｍが１である場合、Ｑ１およびＱ２は、Ｈ以外であり；そして
Ａ−は、負に荷電した対イオンである、共役ポリマー。
【請求項２】
請求項１に記載のポリマーであって、ここで、前記モノマー単位は、以下の式（ＩＩ）：
【化２】
2009057566.tif 000002
の構造を有し、
ここで、Ｗ、Ｘ、Ｙ、Ｚ、Ｘ１、Ｙ１、およびＺ１は、独立して、Ｎ、ＣＨ、およびＣＲ１からなる群より選択され、ここで、Ｒ１は、−（Ｑ）ｑ−（Ｌ）ｐ−Ｎ（Ｑ１Ｑ２）、−ＮＯ２、スルホ（−ＳＯ３Ｈ）、カルボキシル（−ＣＯＯＨ）、ホスホノ（−Ｏ（ＰＯ）（ＯＨ）２）、スルホナト（−ＳＯ２−Ｏ−）、カルボキシラト（−ＣＯＯ−）、ホスホナト（−Ｐ（Ｏ）（Ｏ−）２）、−ＣＮ、ハロ、Ｃ１−Ｃ２０ヒドロカルビル、置換Ｃ１−Ｃ２０ヒドロカルビル、ヘテロ原子含有Ｃ１−Ｃ２０ヒドロカルビル、または置換ヘテロ原子含有Ｃ１−Ｃ２０ヒドロカルビルであり、そして、さらに、ここで、ＺおよびＺ１は、連結されて環状基を形成し得る、ポリマー。
【請求項３】
前記モノマー単位が、以下の構造（ＩＩＩ）：
【化３】
2009057566.tif 000003
を有する、請求項２に記載のポリマー。
【請求項４】
前記モノマー単位が、以下の構造（ＩＶ）：
【化４】
2009057566.tif 000004
を有する、請求項２に記載のポリマー。
【請求項５】
請求項１に記載のポリマーであって、ここで、前記モノマー単位は、以下の構造（Ｖ）：
【化５】
2009057566.tif 000005
を有し、
ここで、ｐは、０または１であり、Ａｒ３は、１〜３個の芳香族環を含む、アリーレン、ヘテロアリーレン、置換アリーレン、または置換ヘテロアリーレンであり、Ａｒ４およびＡｒ５は、独立して、１個または２個の芳香族環を含む、アリール、ヘテロアリール、置換アリール、および置換ヘテロアリールからなる群より選択され、そしてＷ、Ｘ、Ｙ，Ｚ，Ｘ１、Ｙ１、およびＺ１は、独立して、Ｎ、ＣＨ、およびＣＲ１からなる群より選択され、ここで、Ｒ１は、−（ＡＲ３）ｐ−Ａｒ４Ａｒ５；Ｃ１−Ｃ１２アルキル；Ｃ１−Ｃ１２アルキル；Ｃ１−Ｃ１２アルコキシ；フルオロ；シアノ；ニトロ；スルホ；カルボキシル；ホスホノ；スルホナト；カルボキシラト；およびホスホナトからなる群より選択されるか；または−ＺおよびＺ１は連結されて、環状基を形成し得る、ポリマー。
【請求項６】
請求項５に記載のポリマーであって、以下の式（ＶＩ）：
【化６】
2009057566.tif 000006
を有し、
ここで、Ｒ２およびＲ３は、独立して、水素；直鎖または分枝鎖のＣ４−Ｃ１２；１または２個のシアノ基を含む、シアノ置換Ｃ４−Ｃ１２アルキル；２〜５個のエーテル酸素原子を含むポリエーテル置換基からなる群から選択され、任意の２つの酸素原子は、Ｃ１−Ｃ３アルキレン連結により分離される、ポリマー。
【請求項７】
請求項１に記載のポリマーまたはコポリマーを含む半導性組成物。
【請求項８】
少なくとも１つの混合物および請求項１に記載の共役ポリマーを含む、半導性組成物。
【請求項９】
ドープ共役ポリマーを含む導電性組成物であって、改良点として、請求項１に記載の共役ポリマーまたはコポリマーを用いることを包含する、組成物。
【請求項１０】
正孔注入電極と電子注入電極との間に配置された有機光放出層を有するエレクトロルミネセンスデバイスであって、改良点として、請求項１に記載のポリマーまたはコポリマーを含む有機光放出層を用いることを包含する、デバイス。
【請求項１１】
電界効果トランジスターであって、該トランジスターは、ゲート電極、ソース電極、ドレイン電極、および該ソース電極および該ドレイン電極と電気的に接続しているチャネルを備え、改良点として、請求項１に記載の共役ポリマーまたはコポリマーを含むチャネルを用いることを包含する、トランジスター。
【請求項１２】
光検出器デバイスであって、該デバイスは、第１の電極と第２の電極との間に配置された半導性層、および該電極間を流れる光電流を検出するための手段を備え、改良点として、請求項１に記載の共役ポリマーまたはコポリマーを含む半導性層を用いることを包含する、デバイス。
【請求項１３】
電力を発生させるために有用な光起電性デバイスであって、該デバイスは、第１の電極、該第１の電極上に提供される半導性層、および該半導性層の光発生表面上に提供される第２の電極を備え、改良点として、請求項１に記載の共役ポリマーまたはコポリマーを含む半導性層を用いることを包含する、デバイス。
【請求項１４】
発光電気化学電池であって、該発光電気化学電池は、導電性透明基材または導電性半透明基材、該基材上に配置された薄膜もしくは共役ポリマーおよびイオン化可能種、ならびに該薄膜上に配置された電極を備え、改良点として、請求項１に記載の共役ポリマーまたはコポリマーを用いることを包含する、発光電気化学電池。
【請求項１５】
電気化学センサであって、該センサは、対電極、作用電極、および該作用電極と該対電極との間に電位を印加するか、または該作用電極と該対電極との間の電位を測定するための手段を備え、改良点として、請求項１に記載の共役ポリマーまたはコポリマーを用いることを包含する、センサ。
【請求項１６】
空胴放射エレクトロルミネセンスデバイスであって、該デバイスは、正孔注入電極層；電子注入電極層；該正孔注入電極層と該電子注入電極層との間に挿入された誘電層；および少なくとも誘電層および電極層の１つを通して延び、そして正孔注入電極領域、電子注入電極領域、および誘電領域を含む内部空胴面を有する、空胴を備え、ここで、請求項１に記載の共役ポリマーまたはコポリマーを含むエレクトロルミネセンスコーティング材料が、該内部空胴面の正孔注入領域および電子注入領域と電気的に接触する、デバイス。
【請求項１７】
請求項１に記載の共役ポリマーであって、ポリ（アリーレン）骨格を含み、該ポリ（アリーレン）骨格は、繰返しモノマー単位−［Ａｒ１−Ａｒ２］−を含み、かつＡｒ１に直接的または間接的に結合される、−ＮＱ１Ｑ２から選択される側鎖を有し、
ここで：
Ａｒ１およびＡｒ２は、独立して、単環式、二環式、および多環式のアリーレン基、ヘテロアリーレン基、置換されたアリーレン基および置換されたヘテロアリーレン基からなる群より選択され；
Ｑ１は、アリール、ヘテロアリール、置換アリール、置換ヘテロアリール、アルキル、および置換アルキルからなる群より選択され；
Ｑ２は、Ｈ、アリール、ヘテロアリール、置換アリール、置換ヘテロアリール、アルキル、および置換アルキルからなる群より選択される、
共役ポリマー。
【請求項１８】
請求項１に記載の共役ポリマーであって、ポリ（パラフェニレン）骨格を含み、該ポリ（パラフェニレン）骨格は、繰返しモノマー単位−［Ａｒ１−Ａｒ２］を含み、かつＡｒ１に直接的または間接的に結合される構造−ＮＱ１Ｑ２を有する側鎖を有し、
ここで：
Ａｒ１およびＡｒ２は、独立して、フェニレンおよび置換フェニレンからなる群より選択され；そして、
Ｑ１およびＱ２は、フェニルおよび置換フェニルからなる群より独立して選択される、
共役ポリマー。
【請求項１９】
以下の構造：
【化１５】
2009057566.tif 000007
を有する共役ポリマーであって、
ここで：
Ａｒ４およびＡｒ５は、独立して、アリール基、ヘテロアリール基、置換アリール基、および置換ヘテロアリール基から選択され、各基は、１個または２個の芳香族環を含み；
Ｘ、Ｙ、およびＺは、独立して、Ｎ、ＣＨ、およびＣＲ１からなる群より選択され、ここで、Ｒ１は、−（Ａｒ３）ｎ−ＮＡｒ４Ａｒ５、Ｃ１〜Ｃ１２アルキル、フッ素化Ｃ１〜Ｃ１２アルキル、Ｃ１〜Ｃ１２アルコキシ、フルオロ、シアノ、ニトロ、−ＳＯ３Ｈ、−ＣＯＯＨ、−Ｏ（ＰＯ）（ＯＨ）２、ならびに有機および無機のスルホン酸塩、カルボン酸塩およびリン酸塩からなる群より選択され；そして、
Ｗ、Ｘ１、Ｙ１、およびＺ１は、独立して、ＮおよびＣＨからなる群より選択される、共役ポリマー。
【請求項２０】
以下の式（Ｖａ）：
【化１６】
2009057566.tif 000008
の構造を有する、共役ポリマー。